(57)【特許請求の範囲】
【請求項１】
二つの物質を個々に収容し調合するため各物質をそれぞれ収容するための一回使用の調合容器装置であって、
平板状の形板（２）と、
該形板（２）に備えられ、基部及び該基部よりも小さい頂部を有し、前記各物質をそれぞれ収容するための柔軟な二つの収容部（４，４’）と、
該形板（２）に備えられ、前記収容部（４，４’）が重なる状態に前記形板（２）を折り畳むことができるように該収容部（４，４’）の間を通って延びる一直線の折曲軸（３）と、
それぞれ扁平状で、前記収容部（４，４’）より該収容部（４，４’）から離間した位置にある末端部まで伸長し、該末端部の一部に、使用者によってそれぞれの前記収容部（４，４’）が押圧されたときに収容された各物質が吐出するオリフィス開口部、及び引き裂き可能なエッジ部（８）を有し、該末端部に向かって先細りのノズル部（９）を具備しており、前記折曲軸（３）に向かって収束する吐出部（５）と、
前記吐出部（５）を前記エッジ部（８）で切り裂き可能に前記形板（２）に設けた切り裂き線（７）とからなり、
前記折曲軸（３）を中心に折り畳み、前記吐出部（５）を前記切り裂き線（７）により前記エッジ部（８）で切り裂き、前記収容部（４，４’）を押しつぶすことによって、該エッジ部（８）から吐出した前記二物質を調合し、混合し、塗布することを可能とする、調合容器装置。
【請求項２】
請求項１に記載の調合容器装置において、前記収容部（４，４’）に概略１ミリリットルから概略５ミリリットルの物質を収容している調合容器装置。
【請求項３】
請求項１又は２に記載の調合容器装置において、前記切り裂き線（７）が刻み目又は空所からなる調合容器装置。
【請求項４】
請求項１乃至３のいずれかに記載の調合容器装置において、折曲軸（３）が刻み目又は溝からなる調合容器装置。
【請求項５】
請求項１乃至４のいずれかに記載の調合容器装置において、前記収容部（４，４’）に使用者が親指及び人さし指を置くべき位置を指示する指標（６，６’）を設けてある調合容器装置。
【請求項６】
請求項１乃至５のいずれかに記載の調合容器装置において、本装置（１）が前記二つの収容部（４，４’）を構成するためにお互いに接して一体にシールした二枚の柔軟な薄膜からなる調合容器装置。
【請求項７】
請求項６に記載の調合容器装置において、前記薄膜が、フォイル、ポリエチレン、ポリプロピレン、ポリヴィニルクロライド、ポリヴィニルアセテイト、又は、ポリプロピレンでコーティングしたフォイルからなる調合容器装置。
【請求項８】
請求項７に記載の調合容器装置において、それぞれの薄膜が異なる物質からなる調合容器装置。
【請求項９】
請求項１乃至８のいずれかに記載の調合容器装置において、前記調合容器装置から絞り出された二物質が接触して化学的又は物理的な反応を起こすことからなる調合容器装置。
【請求項１０】
請求項１乃至９のいずれかに記載の調合容器装置において、二つの収容部（４，４’）の一方がエポキシ樹脂接着剤を含み、他方が硬化剤を含むことからなる調合容器装置。
【請求項１１】
請求項１乃至１０のいずれかに記載の調合容器装置において、前記二収容部（４，４’）が食品、調合薬又は他の液体、又は、医学又は歯学分野で使用されるペースト状の物又はゲル状の物質を収容することからなる調合容器装置。
【請求項１２】
請求項１乃至１１のいずれかに記載の調合容器装置において、本装置（１）が使用者によって片手で折り畳んで操作することができるように、前記吐出部（５）が容易に合致すると共に、収容部（４，４’）に収容された物質が同時に吐出し、混合し、比例して使用するができるように構成した調合容器装置。
【請求項１３】
請求項１乃至１２のいずれかに記載の調合容器装置において、前記吐出部（５）が、前記装置のサイドエッジ部又はその隣接部に位置して設けてある調合容器装置。
【請求項１４】
請求項１乃至１３のいずれかに記載の調合容器装置において、収容部（４，４’）に収容された物質がそれぞれのエッジ部（８）から同時に異なる量で比例して吐出し、混合し、比例して使用することができるように構成した調合容器装置。
【請求項１５】
請求項１４に記載の調合容器装置において、使用者によって片手操作で折り畳み操作でき、吐出孔（５）を容易に合致させ、エポキシ樹脂接着剤と硬化剤とを同時に調合し、混合し、比例して使用することができる調合容器装置。
【発明の詳細な説明】
【技術分野】
【０００１】
本発明は、調合容器装置に関し、特には、相対する二物質を別々に収容し、調合し、使用するのに適した調合容器装置に関する。本発明は、主としてエポキシ樹脂接着剤及び硬化剤を収容する接着剤及び粘着性物質の調合容器の開発に関するものである。しかしながら、本発明は、この特殊な用途に使用分野を限定されるものでないことは勿論である。
【背景技術】
【０００２】
例えば、エポキシ樹脂接着剤及び硬化剤のような、相対する二物質を調合する前に個々別々に維持するために有用な従来装置は多く知られている。一般的に、従来装置は、二つのチューブを一緒に持つための手段として二つの折り畳み式のチューブを有する。エポキシ樹脂接着剤及び硬化剤を調合するために二つのチューブを一緒に持って使用する方法は、効果的に見えるが、明白な不利がある。
【発明の開示】
【発明が解決しようとする課題】
【０００３】
従来装置を一緒に保持することが可能な通常のスリーブやヨークを使用することは、チューブからの内容物の排出を邪魔することになる。加えて、チューブの相対する内容物を調合することを確実にすることは困難である。このことは、特に少量の二物質を調合する場合に顕著である。従来技術の容器装置は、エポキシ樹脂接着剤及び硬化剤を収容するチューブ又は容器が使用後に再シールしなければならないような、一般的に大型の適用性を備えている。その結果として、チューブ又は調合容器の閉塞は一般的である。このことは、接着剤を使用不能又は一貫して使用するのが困難になりやすいことを意味する。それ故に、単一の使用パックでエポキシ樹脂接着剤及び硬化剤を分割し調合するための本発明の必要性がある。
【０００４】
一般的に、この従来の調合容器装置では二本の手で内容物を調合する必要がある。その二つのチューブのノズルの間隔は、二つの物質を適宜に混合するのを困難にする。
従来の調合容器装置は、また、分割されたチャンバーからエポキシ樹脂接着剤及び硬化剤を取り出すために、空気圧や排出ポンプを使用した比較的に複雑な調合システムを含むものである。これらシステムの多くは効果的であるが、そのメカニズムは小さなものに適用して使用するには向かないのみならず、多大な費用の支出と場所と時間の投資を必要とする。
この発明の一つの目的は、少なくとも従来技術の不都合を解消又は実質的に改善する調合容器装置を提供することにある。
【課題を解決するための手段】
【０００５】
本発明の第一の側面は、二つの物質の比例する量を調合し塗布するため前記二物質を個々に収容する調合容器装置であって、柔軟な材質からなる二つの収容部の間に長手方向軸が配置してあり、各収容部は前記二物質の一方を収容し、前記物質を押し出すことができるように吐出部を具備し、前記調合容器装置を前記長手方向軸で折り畳むことができる調合容器装置にある。
【０００６】
好ましくは、前記二つの収容部の一方が、前記長手方向軸の一方側にあって他方側の他方の収容部と長手方向軸を中心に線対称に配置されており、これら二つの収容部が長手方向軸から実質的に等距離に設けてある調合容器装置にある。
【０００７】
好ましくは、前記各吐出部が切り裂き線を形成する刻み目又は空所からなる弱点域を含んでおり、使用者によってそれぞれの収容部が押し出されるとき、収容されたそれぞれの物質が前記弱点域から吐出するように設けてある調合容器装置にある。
【０００８】
好ましくは、前記収容部に使用者が親指及び人さし指を置くべき位置を指示する指標を設けてある調合容器装置にある。
【０００９】
好ましくは、前記二つの収容部を構成するためにお互いに接して一体にシールした二枚の柔軟な薄膜からなる調合容器装置にある。
【００１０】
好ましくは、前記薄膜が、フォイル、ポリエチレン、ポリプロピレン、ポリヴィニル  クロライド、ポリヴィニル  アセテイト、又は、ポリプロピレンでコーティングしたフォイルからなる調合容器装置にある。
【００１１】
好ましくは、前記二収容部に収容された物質が接触して化学的又は物理的な反応を起こすことからなる調合容器装置にある。
【００１２】
好ましくは、前記収容部の一方がエポキシ樹脂接着剤を含み、他方が硬化剤を含むことからなる調合容器装置にある。或いは、収容部が、食品、医学又は歯学分野で使用される調合薬、他の液体、ペースト状の物、又は、ゲル状の物質を収容することからなる調合容器装置にある。
【００１３】
好ましくは、前記吐出部が容易に合致して、収容部に収容された物質を同時に吐出し、混合し、比例して使用するができるように、使用者によって片手で折り畳んで操作することができる調合容器装置にある。
【００１４】
好ましくは、前記装置が一度使用して処分するように設けてある調合容器装置にある。
【００１５】
好ましくは、前記吐出部が、前記装置のサイドエッジ部又はその隣接部に位置して設けてある調合容器装置にある。
【００１６】
本発明の第二の側面は、比例する量のエポキシ樹脂接着剤と硬化剤とを調合し、混合し、塗布するため、エポキシ樹脂接着剤と硬化剤を個々に収容する調合容器装置であって、柔軟な材料からなる二つの収容部の間に長手方向軸が配置してあり、各収容部はそれぞれエポキシ樹脂接着剤と硬化剤のいずれか一方を収容しており、エポキシ樹脂接着剤又は硬化剤を押し出し可能な吐出部を具備し、前記装置は長手方向軸で折り畳むことができるように構成した調合容器装置にある。
【００１７】
好ましくは、使用者によって片手操作で折り畳み操作でき、吐出孔を容易に合致させ、エポキシ樹脂接着剤と硬化剤とを同時に調合し、混合し、比例して使用することができ、一度使用して処分するように設けてある調合容器装置にある。
【発明を実施するための最良の形態】
【００１８】
本発明装置の好ましい具体例は図に示す実施例に記載の通りである。
【実施例１】
【００１９】
図１乃至５は、本発明装置に関して、二つの物質を別々に収容した調合容器装置の一実施例を示すものである。本装置は相対する二物質を調合し、混ぜ、塗布するものである。本調合容器装置１は、実質的に平板状の柔軟性のある形板２からなる。形板２は長手方向に沿って折曲軸３を具備し、使用者が折曲軸３に沿って本調合容器を容易に折り曲げることができるように、折曲軸３には、好ましくは、切り目又は溝が形成してある。
【００２０】
折曲軸３の両側には二つの収容部４及び４’が配置してある。収容部４及び４’は、折曲軸３の一側方の収容部４と他側方の収容部４’とが、折曲軸３を中心に線対称に配置されている。
【００２１】
収容部４及び４’はそれぞれ吐出部５を有する。吐出部５は収容部４及び４’に収容された物質を容易に排出することができるようにノズル部９を有する。該ノズル部９は図４に記載の如く末端部に引き裂き可能な弱点域からなるエッジ部８を具備し、収容部４及び４’は該エッジ部８を介して吐出部５を有する。吐出部５は、折曲軸３からは末端部にあって、形板２のサイドエッジ部又はその隣接部に位置して設けてある。折曲軸の両側の一方の収容部４と他方の収容部４’とは、折曲軸３で折り畳んだときに実質的に合致している。
【００２２】
形板２と収容部４及び４’は互いに不可欠な一体品であるか、又は、別々の材料から組み立てられシールされているか、又は、お互いに相手方に貼着されている。その材料は、収容部４に収容されている内容物を吐出部５に絞り出せるように柔軟性を備えている。形板は、フォイル、ポリエチレン、ポリプロピレン、ポリヴィニル  クロライド、ポリヴィニル  アセテイト、又は、プラスチックの一つ（特には、ポリプロピレン）でコーティングしたフォイルから構成することができる。収容部４及び４’は、同様に、フォイル、ポリエチレン、ポリプロピレン、ポリヴィニル  クロライド、ポリヴィニル  アセテイト、又は、プラスチックの一つ（特には、ポリプロピレン）でコーティングしたフォイルから構成することができる。形板２及び収容部４及び４’は一つ又はそれ以上の薄膜から構成することができる。その薄膜は、フォイル、ポリエチレン、ポリプロピレン、ポリヴィニル  クロライド、ポリヴィニル  アセテイト、又は、プラスチックの一つ（特には、ポリプロピレン）でコーティングしたフォイルから構成することができる。また、それぞれの薄膜は別々の材質から構成することができる。それ故にその薄膜は、収容部４及び４’を形成するために一体にシールされている。
【００２３】
更に、収容部４及び４’は、使用者が収容部４及び４’の内容物を吐出部５に排出するために親指と人指し指を置くべき場所を指示する目印又は標識６を具備している。目印又は標識６は収容部４及び４’の形状で形成することもできるし、その表面に画いたり印刷することによって構成することも可能である。これら標識６は、収容部４から吐出部５への排出を実質的に完全にすることができるようにしている。更には、これら標識６は、本発明調合容器装置１を片手で容易に使用することができるようにしている。
【００２４】
吐出部５は（図では省略したが）弱点部又は弱点域を具備することが可能である。使用時において、二つの収容部４及び４’に収容された内容物は、使用者が収容部４及び４’を押し出すことによって弱点域のエッジ部８から吐出することとなる。交互に、形板２と吐出部５は切り裂き線７を形成する刻み目又は空所を組み入れることができる。切り裂き線７は二重型切りが可能である。切り裂き線７は吐出部５の最弱点域を通って導通している。図４及び図５に見られるように、切り裂き線７に沿って使用者がカット又は引き裂くことによって、吐出部５のシールは、収容部４及び４’に収容されていた物質を押出によって排出できるように開くこととなる。
【００２５】
二つの収容部４及び４’に収容されている物質は、この実施例においてはエポキシ樹脂接着剤と凝固剤であるが、他のあらゆる適当な物質について使用することができる。使用に際して、図では省略したが、これらの物質を比例して表面に塗布することができることは重要である。使用に際して、エポキシ樹脂接着剤と凝固剤とを１：１，１：２，１：３，１：４，１：１００、又は、その他適当な割合にすることができる。収容部４及び４’は予め決められた如何なる大きさに成型することも可能である。収容部４及び４’が互いに異なる大きさの場合にも、それぞれの吐出部５は実質的に合致した状態を維持している。本発明において、使用される物質の比率は、収容部４の大きさによって定められている。
【実施例２】
【００２６】
他の実施例においては、収容部４及び４’に収容される物質として、別々に保管するために設計された食品、調合薬、医学又は歯学の製品、美容補助品又はあらゆる液体、ペースト状の物、ゲル状の物質が適用可能である。使用時において、収容部４及び４’は、その中に収容された二つの物質のいずれか一方を調合することができるように、個々独立に排出することが可能である。
【００２７】
この実施例の調合容器装置１は、一度使用して処分するように設計されている。この調合容器装置１は、二つの収容部４からなる一つの適用パックとして売ることもできるし、図では省略したが、一組の収容部４のおのおのが一つの適用パックに対応する複数の適用パックとして売ることもできる。
【００２８】
この調合容器装置１は概略４５ｍｍから６０ｍｍの寸法を持つことが好ましい。収容部４及び４’は、図では省略したが、基部の直径が概略７．５ｍｍで頂部の直径が概略５ｍｍになることが好ましい。吐出部５には、収容部４及び４’の中心から末端部に向かって概略１５ｍｍのテイパーを設けることが好ましい。この場合、収容部４及び４’は概略１ｍｌ（１ミリリットル）から概略５ｍｌ（５ミリリットル）の物質を収容している。しかしながら、収容部４及び４’は、如何なる容量の物質をも収容するように成形することができると共に、お互いに異なる容量を収容することができるように成形することもできる。
【００２９】
この調合容器装置１は、吐出部５が容易に合致して、収容部４及び４’に収容された物質を同時に吐出し、混合し、比例して表面に塗布するができるように、使用者によって折り畳んで操作することが片手でできるように適合している。使用時において、外方に延びた収容部４及び４’は一度に折り畳むことができる。使用時において、吐出部５の平らなエッジ８は、図では省略したが、表面に塗布した後に、二つの物質が接触時に混合するのを補助する構成を有する。
【００３０】
前述には本発明の好ましい実施例についてのみ記載されているが、当業者にとって明らかな変更を加えることは、本発明の技術的範囲に含まれることは明白である。
「ｃｏｍｐｒｉｓｉｎｇ（からなる）」（及びその文法的な変化語）という言葉は、ここでは「ｈａｖｉｎｇ（有する）」又は「ｉｎｃｌｕｄｉｎｇ（含む）」の意味で包括的に用いられており、「ｃｏｎｓｉｓｔｉｎｇ  ｏｎｌｙ  ｏｆ（のみからなる）」という意味で限定的に用いているものではない。
【図面の簡単な説明】
【００３１】
【図１】本発明装置の好ましい一実施例の平面図。
【図２】図１の実施例の正面図。
【図３】図１の実施例の一部折り曲げた形の斜視図。
【図４】図１の実施例の一部折曲して引き裂いた形の斜視図。
【図５】その実施例を使用者が絞り出している状態を示す斜視図。
【図１】
0004560082.tif 000002
【図２】
0004560082.tif 000003
【図３】
0004560082.tif 000004
【図４】
0004560082.tif 000005
【図５】
0004560082.tif 000006